(57)【要約】【課題】軸方向から見た平面視における日車の小型化を図り、動作効率を向上させ、かつレイアウトの自由度をもった表示機構、ムーブメント及び時計を提供する。【解決手段】１日で１回転する日回し車３１と、日回し車３１の回転に伴い、３１日で１回転するプログラム車３２と、第１軸Ｏ３に沿って同軸上に配置されるとともに、プログラム車３２の回転に伴い第１軸Ｏ３周りに相対回転し、１の位の数字が所定の数字毎に分けて付された複数の第１日車６１〜６３と、プログラム車３２の回転に伴い第１軸Ｏ３に平行な第２軸Ｏ４周りに回転し、１０の位が付された第２日車１１０と、を備え、複数の第１日車６１〜６３のうち、一の第１日車には、一の第１日車に対して表側に位置する他の第１日車を視認可能とする切欠き部７７，８７が形成されている。【選択図】図２
2017161254.tif 000002
【特許請求の範囲】
【請求項１】
１日で１回転する日回し車と、
前記日回し車の回転に伴い、３１日で１回転するプログラム車と、
第１軸に沿って同軸上に配置されるとともに、前記プログラム車の回転に伴い前記第１軸周りに相対回転し、日付のうち第１の位の数字が所定の数字毎に分けて付された複数の第１日車と、
前記プログラム車の回転に伴い前記第１軸に平行な第２軸周りに回転し、前記日付のうち第２の位が付された第２日車と、を備え、
前記複数の第１日車のうち、一の前記第１日車には、前記一の第１日車に対して前記第１軸の軸方向で奥側に位置する他の前記第１日車を視認可能とする視認部が形成されていることを特徴とする表示機構。
【請求項２】
前記複数の第１日車は、前記第１の位の数字がそれぞれ付された第１日板を備え、
前記視認部は、前記第１日板に形成された切欠き部であることを特徴とする請求項１に記載の表示機構。
【請求項３】
前記複数の第１日車は、前記軸方向で異なる位置に配置された第１日車かなをそれぞれ備え、
前記第２日車は、前記第１日車かなに対して前記軸方向で異なる位置に配置された第２日車かなを備え、
前記プログラム車は、
前記軸方向で異なる位置に配置され、複数の前記第１日車かなのうち対応する前記第１日車かなに係合する第１歯部と、
前記第１歯部に対して前記軸方向で異なる位置に配置され、前記第２日車かなに係合する第２歯部と、を備えていることを特徴とする請求項１又は請求項２に記載の表示機構。
【請求項４】
前記プログラム車は、前記第１日車かな及び前記第２日車かなに対して前記軸方向で異なる位置に配置され、前記日回し車の日回し爪に係合する第３歯部を備え、
前記第３歯部は、前記プログラム車の回転方向に間隔をあけて３１歯備えていることを特徴とする請求項３に記載の表示機構。
【請求項５】
請求項１から請求項４の何れか１項に記載の表示機構を備えていることを特徴とするムーブメント。
【請求項６】
請求項５に記載のムーブメントを備えることを特徴とする時計。
【発明の詳細な説明】
【技術分野】
【０００１】
本発明は、表示機構、ムーブメント及び時計に関する。
【背景技術】
【０００２】
従来から、２枚の日車を組み合わせて「０１」日から「３１」日までの日付を大きく表示する、いわゆるビッグデイト方式の表示機構が知られている。例えば、下記特許文献１に示される表示機構は、ムーブメントの外周に沿って配置された環状の第１日車と、第１日車の内側に配置された円板状の第２日車と、を有している。
【０００３】
第１日車には、１の位の数字（「０」〜「９」）が周方向に間隔をあけて付されている。第１日車は、一日に一回転する日回し車の回転に伴い、一目盛り（１日分）ずつ回転する。
第２日車には、１０の位の数字（「０」〜「３」）が周方向に間隔をあけて付されている。第２日車は、第１日車が例えば「９」から「０」に移行するタイミングで一目盛り（１０日分）ずつ回転する。
【先行技術文献】
【特許文献】
【０００４】
【特許文献１】特開２０００−３１４７７８号公報
【発明の概要】
【発明が解決しようとする課題】
【０００５】
しかしながら、上述した従来の表示機構にあっては、各位の数字が１枚の日車にまとめて付されているため、日車の径方向の大型化に繋がり、動力（ステッピングモータやぜんまい等）に大きな負荷を与えてしまい時計全体の動作効率が低下するという課題がある。
また、このような大型な日車では、ムーブメント上において、配置される位置や形状に制約があり、レイアウトの自由度を向上させる点で未だ改善の余地があった。
【０００６】
本発明は、このような事情に考慮してなされたもので、その目的は、軸方向から見た平面視における日車の小型化を図り、動作効率を向上させ、かつレイアウトの自由度をもった表示機構、ムーブメント及び時計を提供することである。
【課題を解決するための手段】
【０００７】
上記課題を解決するために本発明の一態様に係る表示機構は、１日で１回転する日回し車と、前記日回し車の回転に伴い、３１日で１回転するプログラム車と、第１軸に沿って同軸上に配置されるとともに、前記プログラム車の回転に伴い前記第１軸周りに相対回転し、日付のうち第１の位の数字が所定の数字毎に分けて付された複数の第１日車と、前記プログラム車の回転に伴い前記第１軸に平行な第２軸周りに回転し、前記日付のうち第２の位が付された第２日車と、を備え、前記複数の第１日車のうち、一の前記第１日車には、前記一の第１日車に対して前記第１軸の軸方向で奥側に位置する他の前記第１日車を視認可能とする視認部が形成されていることを特徴とする。
【０００８】
本態様によれば、複数の第１日車が第１軸に同軸上に配置された場合であっても、一の第１日車に形成された視認部を通して他の第１日車に付された数字を視認することができる。そして、複数の第１日車のうち、何れかの第１日車に付された数字と、第２日車に付された数字と、を組み合わせて日付を大きく表示することができる。
ここで、本態様では、同桁の数字を複数の第１日車に付すことで、１枚の日車に同桁の数字をまとめて付す場合に比べて第１日車の１枚当たりの第１軸の軸方向から見た平面視外形を小さくできる。そして、第１日車の平面視外形を小さくすることで、動力にかかる負荷を低減でき、動作効率を向上させることができる。
また、ムーブメント内において、第１日車の平面視形状や各部材のレイアウトを変更することで、表示機構の表示位置を変更することができる。その結果、レイアウトの自由度を向上させることができる。
【０００９】
上記態様において、前記複数の第１日車は、前記第１の位の数字がそれぞれ付された第１日板を備え、前記視認部は、前記第１日板に形成された切欠き部であってもよい。
本態様によれば、一の第１日車の第１日板に形成された切欠き部を通して他の第１日車の第１日板を視認することができるので、構成の簡素化を図った上で、他の第１日板の視認性を向上させることができる。
【００１０】
上記態様において、前記複数の第１日車は、前記軸方向で異なる位置に配置された第１日車かなをそれぞれ備え、前記第２日車は、前記第１日車かなに対して前記軸方向で異なる位置に配置された第２日車かなを備え、前記プログラム車は、前記軸方向で異なる位置に配置され、複数の前記第１日車かなのうち対応する前記第１日車かなに係合する第１歯部と、前記第１歯部に対して前記軸方向で異なる位置に配置され、前記第２日車かなに係合する第２歯部と、を備えていてもよい。
本態様によれば、プログラム車の各歯部が軸方向で異なる位置に形成された各日車の日車かなにそれぞれ係合するため、プログラム車の回転に伴い各日車を独立して回転させることができる。これにより、構成の簡素化を図った上で、各日車の誤回転を抑制できる。
【００１１】
上記態様において、前記プログラム車は、前記第１日車かな及び前記第２日車かなに対して前記軸方向で異なる位置に配置され、前記日回し車の日回し爪に係合する第３歯部を備え、前記第３歯部は、前記プログラム車の回転方向に間隔をあけて３１歯備えていてもよい。
本態様によれば、プログラム車に各日付に対応した第３歯部が形成されているため、日回し車やプログラム車を躍制するプログラムジャンパを第１歯部や第２歯部に係合させる必要がない。そのため、日回し車やプログラムジャンパの薄型化を図ることができる。
【００１２】
本発明の一態様に係るムーブメントは、上記態様の表示機構を備えていてもよい。
本発明の一態様に係る時計は、上記態様のムーブメントを備えていてもよい。
本態様によれば、上記本態様の表示機構を備えているため、動作効率及びレイアウトの自由度が高いムーブメント及び時計を提供できる。
【発明の効果】
【００１３】
本発明によれば、軸方向から見た平面視における日車の小型化を図り、動作効率及びレイアウトの自由度が高い表示機構、ムーブメント及び時計を提供できる。
【図面の簡単な説明】
【００１４】
【図１】実施形態に係る時計の外観図である。
【図２】実施形態に係るムーブメントの平面図である。
【図３】図２のＩＩＩ−ＩＩＩ線に相当する断面図である。
【図４】日送り内歯に対する第１内歯及び第２内歯の位置を示す図である。
【図５】図２のＶ−Ｖ線に相当する断面図である。
【図６】各日付において、日窓の各表示領域を通して視認される各日車の数字を示す図である。
【図７】日送り動作の際に回転する日車を示す図である。
【図８】実施形態の他の構成を説明するためのムーブメントの拡大平面図である。
【図９】実施形態の他の構成を説明するためのムーブメントの拡大平面図である。
【図１０】実施形態の他の構成（表示機構が３時位置に配置された構成）を説明するためのムーブメントの拡大平面図である。
【図１１】実施形態の他の構成（表示機構が３時位置に配置された構成）を説明するためのムーブメントの拡大平面図である。
【発明を実施するための形態】
【００１５】
以下、本発明に係る実施形態について図面を参照して説明する。
［時計］
図１は、時計１の外観図である。なお、以下に示す各図では、図面を見やすくするため、時計用部品のうち一部の図示を省略しているとともに、各時計用部品を簡略化して図示している。
図１に示すように、本実施形態の時計１は、ムーブメント２（図２参照）や文字板３、各種指針４〜６等が時計ケース７内に組み込まれて構成されている。
【００１６】
時計ケース７は、ケース本体１１と、ケース蓋（不図示）と、カバーガラス１２と、を備えている。ケース本体１１の側面のうち、３時位置（図１の右側）にはりゅうず１５が設けられている。りゅうず１５は、ケース本体１１の外側からムーブメント２を操作するためのものである。りゅうず１５は、ケース本体１１内に挿通された巻真１９と一体化されている。
【００１７】
文字板３の１２時位置（図１における上部）には、日付を表す数字が視認可能な日窓１６が形成されている。日窓１６の右側部分は、日付の１の位（第１の位）を表示する第１表示領域１６ａとなっている。日窓１６の左側部分は、日付の１０の位（第２の位）を表示する第２表示領域１６ｂとなっている。これにより、本実施形態の時計１は、時刻に加え、日付を確認することが可能とされている。
【００１８】
［ムーブメント］
図２は、ムーブメント２の平面図である。なお、以下の説明では、ムーブメント２の基板を構成する地板２１に対して時計ケース７のカバーガラス１２側（文字板３側）をムーブメント２の「裏側」と称し、ケース蓋側（文字板３側とは反対側）をムーブメント２の「表側」と称する。
図２に示すように、ムーブメント２は地板２１を有している。地板２１の図示しない巻真案内穴には、図１に示す上述した巻真１９が組み込まれている。巻真１９は、日付や時刻の修正に用いられる。巻真１９は、その軸線周りに回転可能、かつ軸方向に移動可能とされている。巻真１９の先端部（りゅうず１５側とは反対側の端部）は、ムーブメント２に連係されている。
【００１９】
図２に示すように、地板２１の表側には、図示しない香箱車、二番車、三番車及び四番車を含む表輪列や、表輪列の回転を制御する図示しない脱進調速機等が組み込まれている。一方、地板２１の裏側には、筒車２２等の裏輪列や、日付表示を行う表示機構２４が配置されている。
表輪列のうち、四番車には上述した秒針４（図１参照）が取り付けられている。二番車には、分針５（図１参照）が取り付けられている。
筒車２２は、二番車の回転に伴って１２時間に１回転する。筒車２２には、上述した時針６（図１参照）が取り付けられている。なお、四番車、二番車及び筒車２２は、ムーブメント２の中心軸Ｏ１に同軸上で配置されている。なお、以下の説明では、中心軸Ｏ１に沿う方向を単に軸方向といい、中心軸Ｏ１周りの方向を周方向といい、中心軸Ｏ１に直交する方向を径方向という場合がある。
【００２０】
［表示機構］
表示機構２４は、日回し車３１や、プログラム車３２、プログラムジャンパ３３、第１日車機構３４、第２日車機構３５等を備えている。
【００２１】
＜日回し車＞
日回し車３１は、中心軸Ｏ１に平行な回転軸Ｏ２周りの反時計周り方向（以下、ＣＣＷ方向という。）に回転可能に構成されている。具体的に、日回し車３１は、日回し歯車部４１と、日送り爪４２と、を有している。
日回し歯車部４１は、上述した筒車２２に噛合している。日回し歯車部４１は、日回し車が２４時間で１回転するように歯数が設定されている。
日送り爪４２は、プログラム車３２を１日に１回（午前０時のタイミング）、１日分（１歯分）回転させる。
【００２２】
＜プログラム車＞
プログラム車３２は、中心軸Ｏ１周りのＣＣＷ方向に回転可能に構成されている。プログラム車３２は、軸方向から見た平面視において、地板２１の外周部分に沿って延在するリング状の基部４４を備えている。
【００２３】
図３は、図２のＩＩＩ−ＩＩＩ線に相当する断面図である。
図３に示すように、基部４４の内周面には、径方向の内側に向けて突出する内歯５１〜５５が形成されている。内歯５１〜５５は、軸方向で異なる位置に複数段に亘って形成されている。上述した各段の内歯５１〜５５は、日送り内歯（第３歯部）５１、１段目第１内歯（第１歯部）５２、２段目第１内歯（第１歯部）５３、３段目第１内歯（第１歯部）５４及び第２内歯（第２歯部）５５である。これら日送り内歯５１、１段目第１内歯５２、２段目第１内歯５３、３段目第１内歯５４及び第２内歯５５は、表側（奥側）からこの順に形成されている。各段の内歯５１〜５５は、それぞれ中心軸Ｏ１周りの周方向に間隔をあけて複数形成されている。
【００２４】
図２に示すように、日送り内歯５１は、各内歯５１〜５５の中で基部４４における最も表側に位置する部分に形成されている。日送り内歯５１は、「０１」日から「３１」日の日付に対応して３１個形成されている。なお、図２では、便宜上、「０１」日に対応する日送り内歯５１をドットハッチングで示している。
【００２５】
図４は、日送り内歯５１に対する上述した第１内歯５２〜５４及び第２内歯５５の位置を示す図である。
図２、図４に示すように、１段目第１内歯５２は、基部４４のうち日送り内歯５１に対して裏側に位置する部分に形成されている。１段目第１内歯５２は、周方向に間隔をあけて配列された４個ずつを１組として３組（合計１２個）形成されている。本実施形態において、１段目第１内歯５２は、日送り内歯５１の「０７」日から「１０」日に対応する部分、「１７」日から「２０」日に対応する部分及び「２７」日から「３０」日に対応する部分に軸方向で重なり合っている。
【００２６】
２段目第１内歯５３は、基部４４のうち１段目第１内歯５２に対して裏側に位置する部分に形成されている。２段目第１内歯５３は、周方向に間隔をあけて配列された４個ずつを１組として３組（合計１２個）形成されている。本実施形態において、２段目第１内歯５３は、日送り内歯５１の「０４」日から「０７」日に対応する部分、「１４」日から「１７」日に対応する部分及び「２４」日から「２７」日に対応する部分に軸方向で重なり合っている。すなわち、１段目第１内歯５２及び２段目第１内歯５３は、日送り内歯５１の「０７」日、「１７」日及び「２７」日に対応する部分同士が軸方向で重なり合っている。
【００２７】
３段目第１内歯５４は、基部４４のうち２段目第１内歯５３に対して裏側に位置する部分に形成されている。３段目第１内歯５４は、周方向に間隔をあけて１２個形成されている。本実施形態において、３段目第１内歯５４は、日送り内歯５１の「０２」日から「０４」日に対応する部分、「１１」日から「１４」日に対応する部分、「２１」日から「２４」日に対応する部分及び「３１」日に対応する部分に軸方向で重なり合っている。また、２段目第１内歯５３及び３段目第１内歯５４は、日送り内歯５１の「０４」日、「１４」日及び「２４」日に対応する部分同士が軸方向で重なり合っている。
【００２８】
第２内歯５５は、基部４４のうち３段目第１内歯５４に対して裏側に位置する部分に形成されている。第２内歯５５は、周方向に間隔をあけて４個形成されている。本実施形態において、第２内歯５５は、日送り内歯５１の「０７」日に対応する部分、「１７」日に対応する部分、「２７」日に対応する部分及び「２９」日に対応する部分に軸方向で重なり合っている。
【００２９】
図２に示すように、プログラムジャンパ３３は、基端部が地板２１に固定された状態で片持ち状に延在している。プログラムジャンパ３３の先端部には、日送り内歯５１に係合する躍制爪５７が形成されている。プログラムジャンパ３３は、径方向の外側に向けて付勢され、プログラム車３２の回転を躍制する。なお、躍制爪５７は、少なくとも日送り内歯５１に係合する構成であれば、その他の内歯５２〜５４に係合する構成であっても構わない。
【００３０】
＜第１日車機構＞
第１日車機構３４は、複数の第１日車６１〜６３と、各第１日車６１〜６３の回転を規制する第１日ジャンパ６４と、を備えている。
図３に示すように、各第１日車６１〜６３は、中心軸Ｏ１と平行に延びる第１軸Ｏ３に沿って同軸上に配置されている。各第１日車６１〜６３は、第１軸Ｏ３周りに互いに相対回転可能に構成されている。本実施形態において、各第１日車６１〜６３は、１段目第１日車６１、２段目第１日車６２及び３段目第１日車６３である。
【００３１】
１段目第１日車６１は、１段目第１日軸７１と、１段目第１日板７２と、１段目第１日車かな７３と、を有している。
１段目第１日軸７１は、第１軸Ｏ３に沿って軸方向に延在している。１段目第１日軸７１は、地板２１と、地板２１の裏側に配置された図示しない裏物押さえと、に回転可能に支持されている。
【００３２】
１段目第１日板７２は、１段目第１日軸７１の裏側端部に固定されている。図２に示すように、１段目第１日板７２は、軸方向から見た平面視でＴ字状に形成されている。具体的に、１段目第１日板７２は、１段目第１日軸７１に固定された１段目第１基部７４と、１段目第１基部７４から突設された複数の１段目第１表示片７５と、を備えている。
【００３３】
各１段目第１表示片７５は、１段目第１基部７４から第１軸Ｏ３の径方向の外側に向けて放射状に突設されている。本実施形態において、各１段目第１表示片７５は、第１軸Ｏ３周りの周方向で９０°間隔で３つ設けられている。各１段目第１表示片７５には、１の位の数字のうち「７」から「９」の数字が第１軸Ｏ３周りの時計回り（以下、ＣＷ方向という。）に順番に付されている。各１段目第１表示片７５は、上述した日窓１６の第１表示領域１６ａを通して視認可能とされている。なお、１段目第１日板７２のうち、「８」が付された１段目第１表示片７５に対して第１軸Ｏ３を挟んで径方向に対向する位置は、１段目第１日板７２よりも表側を視認可能とする１段目第１切欠き部（視認部）７７となっている。
【００３４】
図２、図３に示すように、１段目第１日車かな７３は、１段目第１日軸７１の表側端部に固定されている。１段目第１日車かな７３は、上述した１段目第１内歯５２と軸方向で同等の位置に配置されている。１段目第１日車かな７３は、１段目第１内歯５２に係合可能な１段目第１歯部７８を有している。１段目第１歯部７８は、上述した１段目第１表示片７５及び１段目第１切欠き部７７に対応して４個設けられている。
【００３５】
２段目第１日車６２は、２段目第１日筒８１と、２段目第１日板８２と、２段目第１日車かな８３と、を有している。
図３に示すように、２段目第１日筒８１は、１段目第１日軸７１に外挿されている。
２段目第１日板８２は、２段目第１日筒８１の裏側端部のうち、１段目第１日板７２よりも表側に位置する部分に固定されている。図２に示すように、２段目第１日板８２は、軸方向から見た平面視でＴ字状に形成されている。具体的に、２段目第１日板８２は、２段目第１日筒８１に固定された２段目第１基部８４と、２段目第１基部８４から突設された複数の２段目第１表示片８５と、を備えている。
【００３６】
各２段目第１表示片８５は、２段目第１基部８４から第１軸Ｏ３の径方向の外側に向けて放射状に突設されている。本実施形態において、各２段目第１表示片８５は、第１軸Ｏ３周りの周方向で９０°間隔で３つ設けられている。各２段目第１表示片８５には、１の位の数字のうち「４」から「６」の数字が第１軸Ｏ３周りのＣＷ方向に順番に付されている。各２段目第１表示片８５は、上述した日窓１６の第１表示領域１６ａ及び１段目第１日板７２の切欠き部７７を通して視認可能とされている。なお、２段目第１日板８２のうち、「５」が付された２段目第１表示片８５に対して第１軸Ｏ３を挟んで径方向に対向する位置は、２段目第１日板８２よりも表側を視認可能とする２段目第１切欠き部（視認部）８７となっている。
【００３７】
図２、図３に示すように、２段目第１日車かな８３は、２段目第１日筒８１の表側端部のうち、１段目第１日軸７１よりも裏側に位置する部分に固定されている。２段目第１日車かな８３は、上述した２段目第１内歯５３と軸方向で同等の位置に配置されている。２段目第１日車かな８３は、２段目第１内歯５３に係合可能な２段目第１歯部８８を有している。２段目第１歯部８８は、上述した２段目第１表示片８５及び２段目第１切欠き部８７に対応して４個設けられている。
【００３８】
３段目第１日車６３は、３段目第１日筒９１と、３段目第１日板９２と、３段目第１日車かな９３と、を有している。
図３に示すように、３段目第１日筒９１は、２段目第１日筒８１に外挿されている。
３段目第１日板９２は、３段目第１日筒９１の裏側端部に固定されている。図２に示すように、３段目第１日板９２は、軸方向から見た平面視でＸ字状に形成されている。具体的に、３段目第１日板９２は、３段目第１日筒９１に固定された３段目第１基部９４と、３段目第１基部９４から突設された複数の３段目第１表示片９５と、を備えている。
【００３９】
各３段目第１表示片９５は、３段目第１基部９４から第１軸Ｏ３の径方向の外側に向けて放射状に突設されている。本実施形態において、各３段目第１表示片９５は、第１軸Ｏ３周りの周方向で９０°間隔で４つ設けられている。各３段目第１表示片９５には、１の位の数字のうち「０」から「３」の数字が第１軸Ｏ３周りのＣＷ方向に順番に付されている。各３段目第１表示片９５は、上述した日窓１６の第１表示領域１６ａ、１段目第１日板７２及び２段目第１日板８２の第１切欠き部７７，８７を通して視認可能とされている。
【００４０】
３段目第１日車かな９３は、３段目第１日筒９１の表側端部から第１軸Ｏ３の径方向の外側に向けて突設されている。３段目第１日車かな９３は、上述した３段目第１内歯５４と軸方向で同等の位置に配置されている。３段目第１日車かな９３は、３段目第１内歯５４に係合可能な３段目第１歯部９８を有している。３段目第１歯部９８は、上述した３段目表示片９５に対応して４個設けられている。
【００４１】
第１日ジャンパ６４は、基端部が地板２１に固定された状態で片持ち状に延在している。第１日ジャンパ６４の先端部には、上述した各第１日車かな７３，８３，９３にまとめて当接可能な規制部１００が形成されている。第１日ジャンパ６４は、第１日車かな７３，８３，９３（第１軸Ｏ３）に向けて付勢され、各第１日車６１〜６３の回転を規制する。なお、第１日ジャンパ６４は、各第１日車かな７３，８３，９３に応じて複数設けられていても構わない。
【００４２】
このように、本実施形態の第１日車機構３４は、各第１日車６１〜６３が第１軸Ｏ３周りに互いに相対回転可能に構成されている。また、各第１日車６１〜６３の第１日板７２，８２，９２には、１の位における「０」〜「９」の数字が３つ又は４つずつに分けて付されている。したがって、第１日車機構３４は、１の位の数字を各第１日車６１〜６３で協働して表示するように構成されている。
【００４３】
＜第２日車機構＞
第２日車機構３５は、第２日車１１０と、第２日ジャンパ１１１と、を備えている。
第２日車１１０は、第１軸Ｏ３と平行に延びる第２軸Ｏ４周りに回転可能に構成されている。具体的に、第２日車１１０は、第２日軸１１３と、第２日板１１４と、第２日車かな１１５と、を備えている。
【００４４】
図５は、図２のＶ−Ｖ線に相当する断面図である。
図５に示すように、第２日軸１１３は、第２軸Ｏ４に沿って軸方向に延在している。第２日軸１１３は、地板２１と、図示しない裏物押さえと、に回転可能に支持されている。
第２日板１１４は、第２日軸１１３の裏側端部のうち、上述した１段目第１日板７２よりも裏側に位置する部分に固定されている。図２に示すように、第２日板１１４は、軸方向から見た平面視でＸ字状に形成されている。具体的に、第２日板１１４は、第２日軸１１３に固定された第２基部１２１と、第２基部１２１から突設された複数の第２表示片１２２と、を備えている。
【００４５】
各第２表示片１２２は、第２基部１２１から第２軸Ｏ４の径方向の外側に向けて放射状に突設されている。本実施形態において、各第２表示片１２２は、第２軸Ｏ４周りの周方向で９０°間隔で４つ設けられている。各第２表示片１２２には、１０の位の数字のうち「０」から「３」の数字が第２軸Ｏ４周りのＣＷ方向に順番に付されている。各第２表示片１２２は、上述した日窓１６の第２表示領域１６ｂを通して視認可能とされている。
【００４６】
第２日車かな１１５は、第２日軸１１３の表側において、上述した３段目第１日車かな９３よりも裏側に位置する部分に固定されている。第２日車かな１１５は、上述した第２内歯５５と軸方向で同等の位置に配置されている。第２日車かな１１５は、第２内歯５５に係合可能な第２歯部１１６を有している。第２歯部１１６は、上述した第２表示片１２２に対応して４個設けられている。本実施形態において、第２歯部５５は、上述した各第１歯部７８，８８，９８に対してＣＣＷ方向の奥側に日送り内歯５１の３歯分（３日分）ずれた位置で第２内歯５５に係合するように構成されている。
【００４７】
第２日ジャンパ１１１は、基端部が地板２１に固定された状態で片持ち状に延在している。第２日ジャンパ１１１の先端部には、上述した第２日車かな１１５に当接可能な規制部１２０が形成されている。第２日ジャンパ１１１は、第２日車かな１１５（第２軸Ｏ４）に向けて付勢され、第２日車１１０の回転を規制する。
【００４８】
［作用］
次に、上述した時計１の作用について説明する。なお、以下の説明では、表示機構２４の基本動作、スイッチ動作、繰り上がり動作及びリセット動作について主に説明する。
【００４９】
図６は、各日付において、日窓１６の各表示領域１６ａ，１６ｂを通して視認される各日車６１〜６３，１１０の数字を示す図である。
図６に示すように、「０１」日では、日窓１６の第２表示領域１６ｂに第２日車１１０の「０」が表示されている。また、日窓１６の第１表示領域１６ａには、３段目第１日車６３の「１」が１段目切欠き部７７及び２段目切欠き部８７を通して表示されている。このように、複数の第１日車６１〜６３のうち、何れかの第１日車に付された数字と、第２日車１１０に付された数字と、を組み合わせて日付を大きく表示することができる。
【００５０】
また、図６におけるハッチング部分は、各第１日車６１〜６３のうち、裏側に位置する第１日車によって覆われた第１日車を示している。すなわち、ハッチング部分に対応する第１日車は、第１表示領域１６ａから視認できないようになっている。例えば「０７」日では、１段目第１日車６１の「７」が第１表示領域１６ａを通して表示される一方、２段目第１日車６２及び３段目第１日車６３が１段目第１日車６１によって裏側から覆われている。
【００５１】
＜基本動作＞
基本動作とは、第１日車６１〜６３のうち、何れかの第１日車のみが日送り動作の際に単独で回転する動作である。以下の説明では、「０１」日から「０２」日への日送り動作時において、３段目第１日車６３が単独で回転する場合について説明する。
図２に示すように、筒車２２の回転に基づいて日回し車３１が回転すると、日回し車３１の日送り爪４２がプログラム車３２の日送り内歯５１に係合して、プログラム車３２を回転軸Ｏ１周りのＣＣＷ方向に１歯分だけ回転させる。具体的に、プログラム車３２が回転し始めると、プログラムジャンパ３３の躍制爪５７が日送り内歯５１によってプログラムジャンパ３３の付勢力に抗する方向押し上げられる。これにより、プログラム車３２とプログラムジャンパ３３との係合が解除され、プログラム車３２の回転が許容される。なお、プログラムジャンパ３３の躍制爪５７は、日送り内歯５１を１歯乗り越えると、プログラムジャンパ３３の付勢力によって再び日送り内歯５１に係合する。これにより、プログラム車３２は、中心軸Ｏ１周りのＣＣＷ方向に１歯分だけ回転した状態で再び回転が規制される。
【００５２】
プログラム車３２が回転し始めると、プログラム車３２の３段目第１内歯５４が３段目第１日車６３の３段目第１日車かな９３（３段目第１歯部９８）に係合して、３段目第１日車６３を１歯分回転させる。具体的に、３段目第１日車６３が回転し始めると、第１日ジャンパ６４の規制部１００が３段目第１日車かな９３によって第１日ジャンパ６４の付勢力に抗する方向に押し上げられる。これにより、３段目第１日車６３と第１日ジャンパ６４との係合が解除され、３段目第１日車６３の回転が許容される。なお、第１日ジャンパ６４は、３段目第１歯部９８を１歯乗り越えると、第１日ジャンパ６４の付勢力によって再び３段目第１日車かな９３に当接する。これにより、３段目第１日車６３は、第１軸Ｏ３周りのＣＣＷ方向に１歯分だけ回転した状態で再び回転が規制される。
【００５３】
なお、上述した図４に示すように、「０１」日から「０２」日への日送り動作において、日送り内歯５１の「０２」日に対応する部分には、プログラム車３２の１段目第１内歯５２、２段目第１内歯５３及び第２内歯５５が形成されていない。そのため、「０１」日から「０２」日への日送り動作では、１段目第１日車６１、２段目第１日車６２の第１日車かな７３，８３及び第２日車かな１１５と、プログラム車３２の１段目第１内歯５２、２段目第１内歯５３及び第２内歯５５と、は係合しない。
【００５４】
したがって、「０１」日から「０２」日への日送り動作では、１段目第１日車６１、２段目第１日車６２及び第２日車１１０が静止した状態で、３段目第１日車６３のみが１歯分だけ回転する。これにより、日窓１６の第１表示領域１６ａでは、１段目第１日車６１及び２段目第１日車６２の切欠き部７７，８７が滞在した状態で、３段目第１日車６３の「１」が「２」に切り替わる。一方、日窓１６の第２表示領域１６ｂでは第２日車１１０の「０」が滞在する。これにより、日窓１６には「０２」が表示されることになる。
【００５５】
図７は、日送り動作の際に回転する日車６１〜６３，１１０を示す図である。
図７に示すように、上述した基本動作は、「０１」日、「０２」日、「１０」日〜「１２」日、「２０」日〜「２２」日及び「３０」日からの日替わり動作の際に同様に行われる。また、「０４」日、「０５」日、「１４」日、「１５」日、「２４」日及び「２５」日からの日替わり動作の際には、２段目第１日車６２のみが単独で回転する。さらに、「０７」日、「０８」日、「１７」日、「１８」日、「２７」日及び「２８」日からの日替わり動作の際には、１段目第１日車６１のみが単独で回転する。
【００５６】
＜スイッチ動作＞
スイッチ動作とは、第１日車６１〜６３のうち、２つの第１日車が日送り動作の際に同時に回転する動作である。以下の説明では、「０３」日から「０４」日への日送り動作時において、２段目第１日車６２及び３段目第１日車６３が同時に回転する場合について説明する。
図４に示すように、日送り内歯５１の「０４」日に対応する部分には、プログラム車３２の２段目第１内歯５３及び３段目第１内歯５４の双方が形成されている。そのため、「０３」日から「０４」日への日送り動作では、２段目第１日車６２及び３段目第１日車６３の第１日車かな８３，９３と、プログラム車３２の２段目第１内歯５３及び３段目第１内歯５４と、の双方がそれぞれ係合する。
【００５７】
この場合、プログラム車３２が回転し始めると、プログラム車３２の２段目内歯５３及び３段目第１内歯５４が２段目第１日車６２及び３段目第１日車６３の第１日車かな８３，９３（第１歯部８８，９８）にそれぞれ係合して、２段目第１日車６２及び３段目第１日車６３を１歯分回転させる。
【００５８】
したがって、「０３」日から「０４」日への日送り動作では、１段目第１日車６１及び第２日車１１０が静止した状態で、２段目第１日車６２及び３段目第１日車６３が１歯分だけ回転する。これにより、日窓１６の第１表示領域１６ａでは、１段目第１日車６１の切欠き部７７が滞在した状態で、２段目第１日車６２が２段目切欠き部８７から「４」に切り替わるとともに、３段目第１日車６３の「３」が「０」に切り替わる。一方、日窓１６の第２表示領域１６ｂでは第２日車１１０の「０」が滞在する。これにより、日窓１６には「０４」が表示されることになる。なお、図６に示すように、「０４」日の状態において、３段目第１日車６３の「０」が付された３段目第１表示片９５は、２段目第１日車６２の「４」が付された２段目第１表示片８５によって覆われているため、第１表示領域１６ａからは視認されない。
【００５９】
図７に示すように、上述したスイッチ動作は、「０３」日、「１３」日及び「２３」日からの日替わり動作の際に同様に行われる。また、「０６」日、「１６」日及び「２６」日からの日替わり動作の際には、１段目第１日車６１及び２段目第１日車６２の双方が同時に回転する。
【００６０】
＜繰り上がり動作＞
繰り上がり動作とは、１段目第３日車６１及び第２日車１１０が日送り動作の際に同時に回転する動作である。以下の説明では、「０９」日から「１０」日への日送り動作時について説明する。
図４に示すように、日送り内歯５１の「１０」日に対応する部分には、プログラム車３２の１段目第１内歯５２が形成されている。そのため、「０９」日から「１０」日への日送り動作では、１段目第１日車６１の第１日車かな７３と、プログラム車３２の１段目第１内歯５２と、が係合する。また、上述した第２日車１１０の第２日車かな１１５（第２歯部１１６）は、上述したように各第１歯部７８，８８，９８に対してＣＣＷ方向の奥側に日送り内歯５１の３歯分ずれた位置で第２内歯５５に係合する。したがって、第２日車かな１１５（第２歯部１１６）は、日送り内歯５１の「０７」日に対応する部分に形成された第２内歯５５に係合する。この場合、プログラム車３２が回転し始めると、１段目第１日車６１及び第２日車１１０をそれぞれ１歯分回転させる。
【００６１】
したがって、「０９」日から「１０」日への日送り動作では、２段目第１日車６２及び３段目第１日車６３が静止した状態で、１段目第１日車６１及び第２日車１１０が１歯分だけ回転する。これにより、日窓１６の第１表示領域１６ａでは、２段目第１日車６２の切欠き部８７及び３段目第１日車６３の「０」の表示片９５が滞在した状態で、１段目第１日車６１が「９」の１段目第１表示片７５から１段目第１切欠き部７７に切り替わる。一方、日窓１６の第２表示領域１６ｂでは第２日車１１０が「０」から「１」に切り替わる。これにより、日窓１６には「１０」が表示されることになる。
【００６２】
図７に示すように、上述した繰り上がり動作は、「０９」日、「１９」日及び「２９」日からの日替わり動作の際にも同様に行われる。
【００６３】
＜リセット動作＞
リセット動作とは、「３１」日から「０１」日への日送り動作の際に第２日車１１０のみが回転する動作である。
図４に示すように、上述した第２日車１１０の第２日車かな１１５（第２歯部１１６）は、日送り内歯５１の「２９」日に対応する部分に形成された第２内歯５５に係合する。このとき、日送り内歯５１の「０１」日に対応する部分には、各第１内歯５２〜５４は形成されていない。したがって、各第１内歯５２〜５４と、各第１日車６１〜６３の第１日車かな７３，８３，９３と、は係合していない。
【００６４】
この場合、プログラム車３２が回転し始めると、プログラム車３２の第２内歯５５が第２日車１１０の第２日車かな１１５に係合して、第２日車１１０を１歯分回転させる。
したがって、「３１」日から「０１」日への日送り動作では、各第１日車６１〜６３が静止した状態で、第２日車１１０が１歯分だけ回転する。これにより、日窓１６の第２表示領域１６ｂでは第２日車１１０が「３」から「０」に切り替わる。これにより、日窓１６には「０１」が表示されることになる。
【００６５】
このように、本実施形態では、第１軸Ｏ３に沿って同軸上に配置された複数の第１日車６１〜６３に１の位を複数ずつ付す構成とした。
この構成によれば、同桁の数字を複数の第１日車６１〜６３に付すことで、１枚の日車に同桁の数字をまとめて付す場合に比べて第１日車６１〜６３の１枚当たりの第１軸Ｏ３の軸方向から見た平面視外形を小さくできる。そして、第１日車６１〜６３の平面視外形を小さくすることで、動力にかかる負荷を低減でき、動作効率を向上させることができる。
また、表示機構２４の表示位置を径方向や周方向に簡単に移動させることができ、レイアウトの自由度を向上させることができる。なお、表示機構２４の表示位置の変更方法については詳述する。
【００６６】
また、本実施形態では、２段目第１日板８２や１段目第１日板７２に３段目第１日板９２を視認可能とする第１切欠き部７７，８７が形成されている構成とした。
この構成によれば、第１切欠き部７７，８７を通して奥側の第１日板を視認できるので、構成の簡素化を図った上で、奥側の第１日板の視認性を向上させることができる。
【００６７】
さらに、本実施形態では、プログラム車３２の各内歯５１〜５４が、軸方向で異なる位置に形成された各日車６１〜６３，１１０の日車かな７３，８３，９３，１１５にそれぞれ係合する構成とした。
この構成によれば、プログラム車３２の回転に伴い各日車６１〜６３，１１０を独立して回転させることができるので、構成の簡素化を図った上で、各日車６１〜６３，１１０の誤回転を抑制できる。
【００６８】
本実施形態では、プログラム車３２に各日付に対応した日送り内歯５１が形成されているため、日回し車３１やプログラムジャンパ３３を第１内歯５２〜５４や第２内歯５５に係合させる必要がない。そのため、日回し車３１やプログラムジャンパ３３の薄型化を図ることができる。
【００６９】
そして、本実施形態のムーブメント２及び時計１によれば、上述した表示機構２４を備えているため、動作効率及びレイアウトの自由度が高いムーブメント２及び時計１を提供できる。
【００７０】
次に、表示機構の表示位置の変更方法について説明する。まず、表示機構の径方向位置を上述した図２の位置から移動させる場合について説明する。
図８、図９は実施形態の他の構成を説明するためのムーブメント２の拡大平面図である。
図８に示す表示機構２００において、各第１日車２１１〜２１３の第１日板２２１〜２２３は、第１基部２３１〜２３３と、第１基部２３１〜２３３から突設された第１表示片２４１〜２４３と、をそれぞれ備えている。
【００７１】
３段目第１日板２２３は、第１軸Ｏ３の軸方向から見た平面視で矩形状に形成されている。そして、３段目第１表示片２４３は、３段目第１日板２２３の各角部を構成している。各３段目第１表示片２４３には、「０」から「３」の数字が第１軸Ｏ３周りのＣＷ方向に順番に付されている。
２段目第１日板２２２は、第１軸Ｏ３の軸方向から見た平面視でＬ字状に形成されている。そして、２段目第１表示片２４２は、第１軸Ｏ３周りに間隔をあけて３つ配置されている。各２段目第１表示片２４２には、１の位の数字のうち「４」から「６」の数字が第１軸Ｏ３周りのＣＷ方向に順番に付されている。また、２段目第１日板２２２のうち、「４」の２段目第１表示片２４２と「６」の２段目第１表示片２４２との間に位置する部分には、３段目第１日板２２３を視認可能とする２段目第１切欠き部２５１が形成されている。
１段目第１日板２２１は、第１軸Ｏ３の軸方向から見た平面視でＬ字状に形成されている。そして、１段目第１表示片２４１は、第１軸Ｏ３周りに間隔をあけて３つ配置されている。各１段目第１表示片２４１には、１の位の数字のうち「７」から「９」の数字が第１軸Ｏ３周りのＣＷ方向に順番に付されている。また、１段目第１日板２２１のうち、「７」の１段目第１表示片２４１と「９」の１段目第１表示片２４１との間に位置する部分には、２段目第１日板２２２及び３段目第１日板２２３を視認可能とする１段目第１切欠き部２５２が形成されている。
【００７２】
第２日車２６０の第２日板２６１は、第２軸Ｏ４の軸方向から見た平面視で矩形状に形成されている。具体的に、第２日板２６１は、第２基部２６２と、第２基部２６２を取り囲み、第２日板２６１の各角部を構成する第２表示片２６３と、を備えている。各第２表示片２６３には、１０の位の数字のうち「０」から「３」の数字が第２軸Ｏ４周りのＣＷ方向に順番に付されている。
【００７３】
このように、各第１日板２２１〜２２３や第２日板２６１の平面視形状を変更するだけで、表示機構２００の表示位置を図２に示す構成に比べて径方向の内側に簡単に移動させることができる。
また、図９に示すように、各第１日板２２１〜２２３や第２日板２６１に付す数字の向きや位置、日窓１６の位置を変更することで、表示機構２００の表示位置を図２に示す構成に比べて径方向の外側に簡単に移動させることができる。
【００７４】
次に、表示機構の周方向位置を上述した図２の状態から変更する場合について説明する。図１０は、実施形態の他の構成を説明するためのムーブメント２の拡大平面図である。
図１０に示す表示機構３００において、各第１日車３１１〜３１３及び第２日車３１４は３時位置に配置されている。具体的に、各第１日車３１１〜３１３の第１日板３２１〜３２３は、第１基部３３１〜３３３と、第１基部３３１〜３３３から突設された第１表示片３４１〜３４３と、をそれぞれ有している。各第１表示片３４１〜３４３は、各第１基部３３１〜３３３のうち、第１軸Ｏ３に対して偏心した位置から第１軸Ｏ３に対して離間する方向に突設されている。
【００７５】
各第１表示片３４１〜３４３のうち、３段目第１表示片３４３は、第１軸Ｏ３周りに間隔をあけて４つ配置されている。各３段目第１表示片３４３には、「０」から「３」の数字が第１軸Ｏ３周りのＣＷ方向に順番に付されている。
２段目第１表示片３４２は、第１軸Ｏ３周りに間隔をあけて３つ配置されている。各２段目第１表示片３４２には、「４」から「６」の数字が第１軸Ｏ３周りのＣＷ方向に順番に付されている。２段目第１日板３２２のうち、「４」の２段目第１表示片３４２と「６」の２段目第１表示片３４２との間に位置する部分には、３段目第１日板３２３を視認可能とする２段目第１切欠き部３５１が形成されている。
１段目第１表示片３４１は、第１軸Ｏ３周りに間隔をあけて３つ配置されている。各１段目第１表示片３４１には、「７」から「９」の数字が第１軸Ｏ３周りのＣＷ方向に順番に付されている。１段目第１日板３２１のうち、「７」の１段目第１表示片３４１と「９」の１段目第１表示片３４１との間に位置する部分には、２段目第１日板３２２及び３段目第１日板３２３を視認可能とする１段目第１切欠き部３５２が形成されている。
【００７６】
第２日車３１４の第２日板３６１は、第２基部３６２と、第２基部３６２から突設された４つの第２表示片３６３と、を備えている。各第２表示片３６３は、第２軸Ｏ４に対して偏心した位置から第２軸Ｏ４に対して離間する方向に突設されている。各第２表示片３６３には、１０の位の数字のうち「０」から「３」の数字が第２軸Ｏ４周りのＣＷ方向に順番に付されている。
【００７７】
また、図１１に示すように、各日板３２１〜３２３，３６１の形状を変更することで、表示機構３００の表示位置を図１０に示す構成に比べて径方向に移動させることもできる。すなわち、図１１の構成において、各第１日板３２１〜３２３の各第１表示片３４１〜３４３は、各第１基部３３１〜３３３に対して第１軸Ｏ３の径方向に突設されている。一方、第２日板３６１の各第２表示片３６３は、第２基部３６２のうち第２軸Ｏ４に対して偏心した位置から第２軸Ｏ４に対して離間する方向に突設されている。
【００７８】
このように、本実施形態の表示機構３００は、第１日車の１枚当たりの平面視外形を小さくできるので、第１日板７２，８２，９２や第２日板１１４の平面視形状や、各部材のレイアウトを変更するだけで、表示機構３００の周方向位置を簡単に変更することができる。これにより、レイアウトの自由度が高い表示機構３００を提供できる。
この場合、地板２１や裏物押さえ等の各所に軸受孔等を形成しておくことで、地板２１や裏物押さえの共通化を図った上で、表示機構３００の周方向位置を変更できる。なお、表示機構の周方向における表示位置は、１２時位置や３時位置に限らず、６時位置や９時位置、又は２時位置や５時位置、７時位置、１０時位置等、適宜変更が可能である。
【００７９】
なお、本発明の技術範囲は上述した実施形態に限定されるものではなく、本発明の趣旨を逸脱しない範囲において種々の変更を加えることが可能である。
例えば、上述した実施形態では、機械式の時計１に本発明を適用した場合について説明したが、これに限らず、アナログクォーツ式の時計に本発明を適用しても構わない。
上述した実施形態では、第１日車かなに対して３歯分ずれた位置で第２日車かなをプログラム車（日送り内歯）に係合させる構成について説明したが、これに限られない。例えば、第１日車かなと第２日車かなとを５歯分ずらす等、第１日車と第２日車とのレイアウトは、適宜変更可能である。
【００８０】
上述した実施形態では、第１日車が同軸上に３つ配置された構成について説明したが、これに限らず、２つであっても４つ以上の複数であっても構わない。
上述した実施形態では、１の位が複数ずつ分けて付された構成について説明したが、これに限らず、１０の位が複数ずつ付された構成であっても、１の位及び１０の位の双方が複数ずつ付された構成であっても構わない。
上述した実施形態では、各第１日板に３つ又は４つの数字を付した場合について説明したが、これに限らず、１又は複数の数字が各第１日板に付されていれば構わない。また、同一の第１日板に付する数字は、連続していなくても構わない。
【００８１】
上述した実施形態では、プログラムジャンパによって躍制される３１歯の日送り内歯を備える構成について説明したが、これに限らず、第１内歯及び第２内歯を３１日に対応させて配置する構成であれば、日送り内歯を備えない構成でも構わない。また、プログラムジャンパによって躍制される３１歯は、日送り内歯のみで備える必要はなく、日送り内歯、第１内歯及び第２内歯と協働して備えていれば構わない。
【００８２】
上述した実施形態では、第１内歯及び第２内歯を軸方向で異なる位置に形成した場合について説明したが、これに限らず、第１内歯及び第２内歯を軸方向で同等の位置であって、径方向に大きさを異ならせて配置しても構わない。
上述した実施形態では、第１切欠き部を通して３段目第１日板を視認可能とした場合について説明したがこれに限られない。例えば、各１段目第１日板及び２段目第１日板のうち、３段目第１日板を透過させる部分が透明であっても構わない。
【００８３】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００８４】
１…時計
２…ムーブメント
２４，２００，３００…表示機構
３１…日回し車
３２…プログラム車
３３…プログラムジャンパ
５１…日送り内歯（第３歯部）
５２…１段目第１内歯（第１歯部）
５３…２段目第１内歯（第１歯部）
５４…３段目第１内歯（第１歯部）
５５…第２内歯（第２歯部）
６１，２１１，３１１…１段目第１日車
６２，２１２，３１２…２段目第１日車
６３，２１３，３１３…３段目第１日車
７２，２２１，３２１…１段目第１日板（第１日板）
７３…１段目第１日車かな（第１日車かな）
７５，２４１，３４１…１段目第１表示片（表示片）
７７，２５１，３５１…１段目第１切欠き部（視認部）
８２，２２２，３２２…２段目第１日板（第１日板）
８３…２段目第１日車かな（第１日車かな）
８５，２４２，３４２…２段目第１表示片（表示片）
８７，２５２，３５２…２段目第１切欠き部（視認部）
９２，２２３，３２３…３段目第１日板
９３…３段目第１日車かな
９５，２４３，３４３…３段目第１表示片（表示片）
１１０…第２日車
【図１】
2017161254.tif 000003
【図２】
2017161254.tif 000004
【図３】
2017161254.tif 000005
【図４】
2017161254.tif 000006
【図５】
2017161254.tif 000007
【図６】
2017161254.tif 000008
【図７】
2017161254.tif 000009
【図８】
2017161254.tif 000010
【図９】
2017161254.tif 000011
【図１０】
2017161254.tif 000012
【図１１】
2017161254.tif 000013